(57)【要約】【課題】多大な荷重等によるラチェット歯や爪片の破損等を確実に防止できるラチェット金具を提供する。【解決手段】本発明は、回動金具２０のラチェット２２及び逆転防止爪３０が固定金具１０のハウジング１２に軸支され、逆転防止爪３０の爪片３１、３２が複数のラチェット歯２３に順送りされることにより、回動金具２０正回転が許容されるとともに、爪片３１、３２がラチェット歯２３に係合することにより、逆回転が規制されるようにしたラチェット金具を対象とする。爪片３１、３２がラチェット歯２３に係合した状態において、第１爪片３１の中心位置Ｐを中心とし、かつ第２爪片３２とそれに係合するラチェット歯２３との接触部端点Ｑを通過する円弧線Ｒを想定し、その仮想円弧線Ｒに沿うようにラチェット歯２３の一側面部２３ｃが円弧状に形成される。【選択図】　　　図８
2004092876.tif 000002
【特許請求の範囲】
【請求項１】
回動金具のラチェットが、固定金具のハウジングに回動自在に軸支され、逆転防止爪が前記ラチェットの複数のラチェット歯に対応して前記ハウジングに軸支されるとともに、その逆転防止爪がその爪片を前記ラチェット歯に係合させる方向に付勢され、前記爪片が前記複数のラチェット歯に順送りされることにより、前記回動金具の前記固定金具に対する正回転が許容されるとともに、前記爪片がいずれかの前記ラチェット歯に係合することにより、逆回転が規制されるようにしたラチェット金具であって、
前記回動金具が前記固定金具に対し９０度の回転範囲内において７段以上の回転位置で逆回転が規制されるように、前記ラチェット歯のピッチが設定され、
前記逆転防止爪の爪片が、前記複数のラチェット歯のうち、隣合う２つのラチェット歯に係合し得る第１及び第２爪片により構成され、
前記爪片が前記ラチェット歯に係合した状態において、前記第１及び第２爪片のうち、前記回動金具の正回転方向側に位置する第１爪片の中心位置を中心とし、かつ前記第２爪片とそれに係合する前記ラチェット歯との接触部端点を通過する仮想の円弧線を想定し、その仮想円弧線に沿うように前記ラチェット歯の一側面部が円弧状に形成されてなることを特徴とするラチェット金具。
【請求項２】
外周縁部に、前記爪片のラチェット歯への係合を許容するための周縁凹部と、係合を阻止するための周縁突部とが設けられたカム板が、前記ハウジングに回動自在に軸支され、
前記回動金具が正回転方向へ回転する際の初期位置に配置された状態では、前記第２爪片が前記カム板の周縁凹部に配置されて前記爪片が前記ラチェット歯に係合されるよう構成され、
正回転方向の回転により前記回動金具が終端位置に配置された際に、前記回動金具が前記カム板を正回転方向に押し込んで、前記第２爪片が前記カム板の周縁凹部から周縁突部に導かれることにより、前記爪片が前記ラチェット歯から離脱して、前記回動金具の逆回転方向への回転が許容されるよう構成され、
逆回転方向への回転により前記回動金具が初期位置に戻った際に、前記回動金具が前記カムを逆回転方向に押し込んで、前記第２爪片が前記カム板の周縁突部から周縁凹部に導かれることにより、前記第１及び第２爪片が、各爪片の初期係合位置に対応する前記ラチェット歯の各歯溝部にそれぞれ挿入されるよう構成されてなり、
前記回動金具が初期位置に配置された状態において、前記カム板における周縁突部の周縁凹部寄りの端部が、前記第２爪片の初期係合位置に対応する前記ラチェット歯の歯溝部内に配置されてなる請求項１記載のラチェット金具。
【請求項３】
前記回動金具による前記カム板の正回転方向への押込位置及び逆回転方向への押込位置が、前記カム板の外周縁部にそれぞれ設けられてなる請求項２記載のラチェット金具。
【請求項４】
前記カム板に外方突出状にストッパーを形成し、そのストッパーを介在させて前記回動金具を前記逆転防止爪に当接させることにより、前記回動金具の前記固定金具に対する終端位置を超える正回転方向への回転を阻止するよう構成されてなる請求項１ないし３のいずれかに記載のラチェット金具。
【請求項５】
請求項１ないし４のいずれかに記載のラチェット金具における前記固定金具側に座フレームが固定されるとともに、前記回動金具側に背もたれフレームが固定され、
前記背もたれフレームが前記ラチェット金具を介して前記座フレームに対し起倒自在に構成されてなることを特徴とする座椅子。
【発明の詳細な説明】
【０００１】
【発明の属する技術分野】
この発明は、例えば座椅子の座フレームと背もたれフレームとの連結箇所等に設けられるラチェット金具及び座椅子に関する。
【０００２】
【従来の技術】
従来の座椅子において、座体と背もたれとの連結箇所にラチェット金具を介在させて、そのラチェット金具によって、座体に対する背もたれの傾斜角度を段階的に調整できるようなされたものが周知である。
【０００３】
このような座椅子用のラチェット金具としては、特許文献１、２に開示されたものがある。
【０００４】
【特許文献１】
実公昭５９−２０１１８号
【０００５】
【特許文献２】
実開昭６１−１４３４５２号
このラチェット金具は、座体等の固定部材に取り付けられる固定金具と、背もたれ等の回動部材に取り付けられる回動金具とを備え、回動金具のラチェットが固定金具のハウジングに回動自在に軸支される。更に固定金具のハウジングには、回動金具のラチェット歯に咬合解除自在な逆転防止爪が設けられており、その爪がラチェット歯に咬合することにより、固定金具（座体）に対する回動金具（背もたれ）の開き方向への回動が阻止されるように構成されている。また固定金具のハウジング内には、逆転防止爪のラチェット歯への係合及びその解除を制御するためのカム板が回動自在に設けられている。そして回動金具（背もたれ）を、展開した状態から閉じる方向へ回動させることにより、ラチェット歯のピッチに応じて、背もたれ板の開き角度を段階的に変更できるとともに、所定の折り畳み状態まで回動させた際には、カム板の作用によって、背もたれの開き方向の回動が許容されるよう構成されている。
【０００６】
【発明が解決しようとする課題】
ところで、近年の座椅子においては、使用者の体格や好みに合わせて、背もたれの角度を細かく多段階に調整できることが望まれており、ラチェット金具のラチェット歯のピッチを小さくしようとする傾向が強まっている。
【０００７】
その一方、回動金具の不用意な逆転を防止するためには、逆転防止爪のラチェット歯に対する係合度合を十分に確保する必要があり、爪の長さやラチェットの歯丈を長く設定する必要がある。
【０００８】
このようにラチェット金具は、歯丈や爪長さを十分長く設定する必要があるため、仮にラチェット歯のピッチを極端に小さく設定してしまうと、爪をラチェット歯に精度良く係合させることができず、座椅子の使用態様によっては、ラチェット歯や爪等に多大な応力が加わって、ラチェット歯や爪等が破損してしまう等の不具合が生じる。
【０００９】
従って、上記従来のラチェット金具においては、ラチェット歯のピッチを、さほど小さく設定することができず、背もたれ板の角度調整は、通常５段程度であり、多くともせいぜい６段程度に設定されているのが現状である。
【００１０】
本第１発明は、上記従来技術の問題を解消し、回動金具を固定金具に対し９０度の回転範囲内において、７段以上の回転位置で固定できる上、逆転防止爪の爪片をラチェット歯に安定状態に係合させることができ、多大な応力荷重等によるラチェット歯や爪片の破損等を確実に防止することができるラチェット金具を提供することを目的とする。
【００１１】
また、本第２発明は、上記従来技術の問題を解消し、背もたれの角度調整を７段以上に設定できる上、逆転防止爪の爪片をラチェット歯に安定状態に係合させることができ、多大な応力荷重等によるラチェット歯や爪片の破損等を確実に防止することができる座椅子を提供することを目的とする。
【００１２】
【課題を解決するための手段】
上記目的を達成するため、本第１発明は、回動金具のラチェットが、固定金具のハウジングに回動自在に軸支され、逆転防止爪が前記ラチェットの複数のラチェット歯に対応して前記ハウジングに軸支されるとともに、その逆転防止爪がその爪片を前記ラチェット歯に係合させる方向に付勢され、前記爪片が前記複数のラチェット歯に順送りされることにより、前記回動金具の前記固定金具に対する正回転が許容されるとともに、前記爪片がいずれかの前記ラチェット歯に係合することにより、逆回転が規制されるようにしたラチェット金具であって、前記回動金具が前記固定金具に対し９０度の回転範囲内において７段以上の回転位置で逆回転が規制されるように、前記ラチェット歯のピッチが設定され、前記逆転防止爪の爪片が、前記複数のラチェット歯のうち、隣合う２つのラチェット歯に係合し得る第１及び第２爪片により構成され、前記爪片が前記ラチェット歯に係合した状態において、前記第１及び第２爪片のうち、前記回動金具の正回転方向側に位置する第１爪片の中心位置を中心とし、かつ前記第２爪片とそれに係合する前記ラチェット歯との接触部端点を通過する仮想の円弧線を想定し、その仮想円弧線に沿うように前記ラチェット歯の一側面部が円弧状に形成されてなるものを要旨としている。
【００１３】
この発明のラチェット金具においては、ラチェット歯における一側面部を所定の円弧状に形成しているため、ラチェットを逆回転方向に回転させるような多大な荷重が加わったとしても、爪片がラチェット歯の一側面部に強圧に干渉するようなことがなく切り下げ現象を防止することができる。
【００１４】
本第１発明においては、外周縁部に、前記爪片のラチェット歯への係合を許容するための周縁凹部と、係合を阻止するための周縁突部とが設けられたカム板が、前記ハウジングに回動自在に軸支され、前記回動金具が正回転方向へ回転する際の初期位置に配置された状態では、前記第２爪片が前記カム板の周縁凹部に配置されて前記爪片が前記ラチェット歯に係合されるよう構成され、正回転方向の回転により前記回動金具が終端位置に配置された際に、前記回動金具が前記カム板を正回転方向に押し込んで、前記第２爪片が前記カム板の周縁凹部から周縁突部に導かれることにより、前記爪片が前記ラチェット歯から離脱して、前記回動金具の逆回転方向への回転が許容されるよう構成され、逆回転方向への回転により前記回動金具が初期位置に戻った際に、前記回動金具が前記カムを逆回転方向に押し込んで、前記第２爪片が前記カム板の周縁突部から周縁凹部に導かれることにより、前記第１及び第２爪片が、各爪片の初期係合位置に対応する前記ラチェット歯の各歯溝部にそれぞれ挿入されるよう構成されてなり、前記回動金具が初期位置に配置された状態において、前記カム板における周縁突部の周縁凹部寄りの端部が、前記第２爪片の初期係合位置に対応する前記ラチェット歯の歯溝部内に配置されてなる構成を採用するのが好ましい。
【００１５】
すなわちこの構成を採用する場合には、長期使用等により、カム板における周縁突部の端部がすり減ったとしても、各爪片を確実に初期係合位置のラチェット歯に係合させることができ、安定した動作を長期間維持することができる。
【００１６】
また本第１発明においては、前記回動金具による前記カム板の正回転方向への押込位置及び逆回転方向への押込位置が、前記カム板の外周縁部にそれぞれ設けられてなる構成を採用するのが良い。
【００１７】
すなわちこの構成を採用する場合には、カム板回転操作時のモーメントを大きくすることができ、カム板の回転操作をスムーズに行うことができる上更に、カム板回転操作時のストロークも大きく確保することができるため、カム板の微細な操作も確実に制御することができる。
【００１８】
更に本第１発明においては、前記カム板に外方突出状にストッパーを形成し、そのストッパーを介在させて前記回動金具を前記逆転防止爪に当接させることにより、前記回動金具の前記固定金具に対する終端位置を超える正回転方向への回転を阻止するよう構成されてなるものを採用するのが望ましい。
【００１９】
すなわちこの場合には、回動金具が必要以上に回転してしまう等の不具合を確実に防止することができる。
【００２０】
一方、本第２発明は、上記第１発明のラチェット金具を連結部に有する座椅子を特定するものである。
【００２１】
すなわち本第２発明の座椅子は、上記第１発明のラチェット金具における前記固定金具側に座フレームが固定されるとともに、前記回動金具側に背もたれフレームが固定され、前記背もたれフレームが前記ラチェット金具を介して前記座フレームに対し起倒自在に構成されてなるものを要旨としている。
【００２２】
なお、本発明においては、以下の構成を採用することも可能である。
【００２３】
すなわち本発明は、回動金具のラチェットが、固定金具のハウジングに回動自在に軸支され、逆転防止爪が前記ラチェットの複数のラチェット歯に対応して前記ハウジングに軸支されるとともに、その逆転防止爪がその爪片を前記ラチェット歯に係合させる方向に付勢され、前記爪片が前記複数のラチェット歯に順送りされることにより、前記回動金具の前記固定金具に対する正回転が許容されるとともに、前記爪片がいずれかの前記ラチェット歯に係合することにより、逆回転が規制されるようにしたラチェット金具であって、前記回動金具が前記固定金具に対し９０度の回転範囲内において７段以上の回転位置で逆回転が規制されるように、前記ラチェット歯のピッチが設定され、前記逆転防止爪の爪片が、前記複数のラチェット歯のうち、隣合う２つのラチェット歯に係合し得る第１及び第２爪片により構成され、外周縁部に、前記爪片のラチェット歯への係合を許容するための周縁凹部と、係合を阻止するための周縁突部とが設けられたカム板が、前記ハウジングに回動自在に軸支され、前記回動金具が正回転方向へ回転する際の初期位置に配置された状態では、前記第２爪片が前記カム板の周縁凹部に配置されて前記爪片が前記ラチェット歯に係合されるよう構成され、正回転方向の回転により前記回動金具が終端位置に配置された際に、前記回動金具が前記カム板を正回転方向に押し込んで、前記第２爪片が前記カム板の周縁凹部から周縁突部に導かれることにより、前記爪片が前記ラチェット歯から離脱して、前記回動金具の逆回転方向への回転が許容されるよう構成され、逆回転方向への回転により前記回動金具が初期位置に戻った際に、前記回動金具が前記カムを逆回転方向に押し込んで、前記第２爪片が前記カム板の周縁突部から周縁凹部に導かれることにより、前記第１及び第２爪片が、各爪片の初期係合位置に対応する前記ラチェット歯の各歯溝部にそれぞれ挿入されるよう構成されてなり、前記回動金具が初期位置に配置された状態において、前記カム板における周縁突部の周縁凹部寄りの端部が、前記第２爪片の初期係合位置に対応する前記ラチェット歯の歯溝部内に配置されてなることを特徴とするラチェット金具を構成することである。
【００２４】
この構成においては、長期間の使用等により、カム板における周縁突部の端部がすり減ったとしても、各爪片を確実に初期係合位置に対応するラチェット歯に確実に係合させることができ、安定した動作を長期間維持することができ、高い動作信頼性を得ることができる。
【００２５】
【発明の実施の形態】
図１ないし図６はこの発明の実施形態であるラチェット金具を示す図である。これらの図に示すように、このラチェット金具は、座椅子における座フレームと背もたれフレームとの間の連結部に採用される座椅子用のものであって、固定金具（１０）と、回動金具（２０）と、逆転防止爪（３０）と、カム板（４０）とを基本的な構成として備えている。
【００２６】
固定金具（１０）は、座椅子における座フレーム等の固定部材に取り付けられる筒状の固定部材取付片（１１）と、その端部に設けられたハウジング（１２）とを有している。ハウジング（１２）は、図１の紙面に向かって垂直方向に相対向する一対の略円形の側壁（１２ａ）と、両側壁（１２ａ）を連結する底壁（１２ｂ）とにより構成されている。なお図面においては、一対の側壁（１２ａ）のうち片側のみを示す。
【００２７】
回動金具（２０）は、背もたれフレーム等の回動部材に取り付けられる筒状の回動部材取付片（２１）と、その端部に設けられ、図１の紙面に向かって垂直方向に相対向する一対のラチェット（２２）とを有している。なお図面においては、一対のラチェット（２２）のうち片側のみを示す。
【００２８】
更に回動金具（２０）の回動部材取付片（２１）におけるラチェット（２２）の端部には、後述するカム板（４０）の第１及び第２当たり片（４５）（４６）に衝合し得る第１及び第２当たり部（２５）（２６）が設けられている。
【００２９】
またラチェット（２２）の外周縁部には、複数のラチェット歯（２３）が所定のピッチで形成されている。このラチェット歯（２３）は、後に詳述するように、背もたれを７段で、つまり７箇所の回転位置で固定できるように小さいピッチで形成されている。
【００３０】
この回動金具（２０）の一対のラチェット（２２）間にカム板（４０）を介装した状態で、ラチェット（２２）及びカム板（４０）が、固定金具（１０）のハウジング（１２）内に収容されて、ハウジング（１２）の両側壁（１２ａ）の略中央に設けられた軸（１）に回動自在に軸支される。
【００３１】
また固定金具（１０）のハウジング（１２）内に配置される逆転防止爪（３０）は、その先端側に上記ラチェット歯（２３）に係合し得る第１及び第２の２つの爪片（３１）（３２）が形成されている。この爪片（３１）（３２）をラチェット歯（２３）に対応させた状態で、逆転防止爪（３０）の基端側が固定金具（１０）のハウジング（１２）に軸（２）を介し回転自在に軸支される。そしてこの逆転防止爪（３０）が、軸（２）を支点に図１の紙面に向かって反時計方向（係合方向）に揺動した際には、第１及び第２爪片（３１）（３２）が、隣合ういずれかのラチェット歯（２３）に係合するとともに、時計方向（離脱方向）に揺動した際には、第１及び第２爪片（３１）（３２）がラチェット歯（２３）から離脱した状態に配置されるよう構成されている。
【００３２】
更に逆転防止爪（３０）は、軸（２）に設けられた巻ばね（２ａ）等の付勢手段により、反時計方向、つまりラチェット歯（２３）に咬合する方向に回転付勢されている。
【００３３】
そして、第１及び第２爪片（３１）（３２）がラチェット歯（２３）に係合した状態においては、ラチェット（２２）の時計方向（逆回転方向）の回転が規制されるよう構成されている。更にこの状態において、ラチェット（２２）が反時計方向（正回転方向）に回転しようとした際には、ラチェット歯（２３）に爪片（３１）（３２）が離脱方向に押されて係合が解除されるよう構成されている。
【００３４】
ここで本実施形態においては、第１及び第２爪片（３１）（３２）のうち、第１爪片（３１）は、ラチェット（２２）の正回転方向側に配置されるとともに、第２爪片（３２）は逆回転方向側に配置されている。
【００３５】
図７に示すように、カム板（４０）における逆転防止爪（３０）に対向する側の半周域には、上記回動金具（２０）の第１及び第２当たり部（２５）（２６）に衝合し得る第１及び第２当たり片（４５）（４６）と、爪片（３１）（３２）のラチェット歯（２３）への係合を許容する周縁凹部（４１）と、爪片（３１）（３２）のラチェット歯（２３）への係合を規制するようにラチェット（２２）より僅かに大きく円弧状に形成された周縁突部（４２）と、周縁凹部（４１）から周縁突部（４２）にかけて傾斜状に設けられた案内部（４３）とを有している。
【００３６】
この構成のラチェット金具において、図１に示すように、回動金具（２０）が固定金具（１０）に対し開いた状態（背もたれを後方に倒伏させた状態）においては、逆転防止爪（３０）の爪片（３１）（３２）が、カム板（４０）の周縁凹部（４１）内に配置されることにより、逆転防止爪（３０）が係合方向に付勢されて、第１及び第２爪片（３１）（３２）が、各爪片（３１）（３２）の初期係合位置に対応するラチェット歯（２３）（２３）にそれぞれ係合する。なお図面においては、第１爪片（３１）の初期係合位置に対応するラチェット歯（２３）よりも前段側（反時計方向側）に、更にラチェット歯が形成されているが、この歯は、本実施形態とは異なるタイプのラチェット金具を作製する際に利用するものである。つまりこのラチェット（２２）は、他のラチェット金具の構成部材としても利用されるものである。
【００３７】
上記図１の初期状態においては、回動金具（２０）を開く方向、つまり時計方向に荷重が加わったととしても、爪片（３１）（３２）がラチェット歯（２３）に係合することにより、開き方向への回転は規制される。
【００３８】
また図１の初期状態から、図２に示すように、回動金具（２０）を固定金具（１０）に対し閉じるように、つまり反時計方向に回転させた際には、ラチェット歯（２３）により爪片（３１）（３２）が離脱方向に押し込まれ、各爪片（３１）（３２）が次段のラチェット歯（２３）を乗り越えた後に、図３に示すように各爪片（３１）（３２）が巻ばね（２ａ）の付勢力によって、次段のラチェット歯（２３）（２３）にそれぞれ係合する。この２段目係合状態においても、上記初期状態と同様に、回動金具（２０）を開く方向に荷重が加わったとしても、爪片（３１）（３２）がラチェット歯（２３）に係合することにより、開き方向への回転は規制される。
【００３９】
更にこの状態から、回動金具（２０）を閉じるように回転させた際には、上記と同様に各爪片（３１）（３２）が次段のラチェット歯（２３）に送られて係合する。
【００４０】
このように各爪片（３１）（３２）が複数のラチェット歯（２３）へと順送りされることにより、回動金具（２０）の閉じる方向（正回転方向）への回転が許容される一方、各爪片（３１）（３２）がラチェット歯（２３）に係合することにより、回動金具（２０）における開き方向（逆回転方向）の回転が規制される。
【００４１】
また図４に示すように、回動金具（２０）を閉じる方向に最終係合位置まで回動させていき、両爪片（３１）（３２）が最終係合位置の各ラチェット歯（２３）にそれぞれ係合した際には、回動金具（２０）が固定金具（１０）に対し略９０度、正確には８８度の位置に固定される。
【００４２】
更にこの最終係合位置から、図５に示すように、回動金具（２０）を固定金具（１０）に対し閉じる方向に少量回転させると、回動金具（２０）の第２当たり部（２６）がカム板（４０）の第２当たり片（４６）に衝合して、カム板（４０）が反時計方向（正回転方向）に少量回転する。これにより、第２爪片（３２）の先端が、巻ばね（２ａ）の付勢力に抗してカム板（４０）の案内部（４３）に沿って離脱方向に押し込まれていき、周縁突部（４２）に乗り上げた状態に配置される。こうして第１及び第２爪片（３１）（３２）のラチェット歯（２３）に対する係合が解除された状態に保持される。
【００４３】
従ってこの状態においては、回動金具（２０）を開く方向（逆回転方向）に回転することが可能となる。
【００４４】
一方、本実施形態においては、図５の想像線に示すように、カム板（４０）における第２当たり片（４６）の近傍に、外方突出状にストッパー（４７）を形成しておくのが好ましい。すなわちこの構成を採用する場合には、回動金具（２０）を閉じる方向に終端位置まで回動させた際に、ストッパー（４７）が回動金具（２０）の第２当たり部（２６）と逆転防止爪（３０）との間に介在状態に係合することにより、回動金具（２０）が終端位置を超えて正回転方向に過回転するのを確実に防止することができ、例えば背もたれが、必要以上に前方へ倒れてしまう等の不具合を確実に防止することができる。
【００４５】
また図６に示すように、回動金具（２０）を正回転方向の終端位置から開く方向に回転させていき、初期位置に戻した際には、図１に示すように回動金具（２０）の第１当たり部（２５）がカム板（４０）の第１当たり片（４５）に衝合して、カム板（４０）が時計方向（逆回転方向）に少量回転して、第２爪片（３２）の先端がカム板（４０）の周縁突部（４２）から案内部（４３）を通って周縁凹部（４１）の位置に配置される。これにより、第１及び第２爪片（３１）（３２）が巻ばね（２ａ）の付勢力により周縁凹部（４１）内に挿入されると同時に、対応するラチェット歯（２３）にそれぞれ係合する。
【００４６】
ここで、本実施形態においては、ラチェット歯（２３）の歯形状を特有の形状に形成するものである。
【００４７】
すなわち図８に示すように、ラチェット歯（２２）は、歯先部（２３ａ）及び歯溝部（２３ｂ）を有し、爪片（３１）（３２）の先端が歯溝部（２３ｂ）に挿入されて係合した際には、爪片（３１）（３２）は、歯溝部（２３ｂ）の一側面部（２３ｃ）に荷重が加わって係合し、他側面部（２３ｄ）には荷重がほとんど加わらず、非係合状態となっている。更に爪片（３１）（３２）の先端部は、歯溝部（２３ｂ）の形状に倣って、円弧状に形成されている。
【００４８】
そこで、本実施形態においては、第１爪片（３１）の中心位置を「Ｐ」、第２爪片（３２）とそれに係合するラチェット歯（２３）との接触部における端点を「Ｑ」としたとき、「Ｐ」を中心とし、かつ接触部端点（Ｑ）を通過する円弧線（Ｒ）を想定する。そしてその仮想円弧線（Ｒ）に沿うように、ラチェット歯（２２）の一側面部（２３ｃ）を円弧状に形成するものである。
【００４９】
この構成により本実施形態においては、回動金具（２０）に逆回転方向に多大な荷重が繰り返し加わるような場合であっても、ラチェット歯（２３）の破損等を有効に防止することができる。
【００５０】
すなわち、回動金具（２０）が逆回転方向に多大な荷重が加わった場合、例えば背もたれを後側に倒す方向に多大な荷重が加わった場合、その荷重によりラチェット（２２）は逆回転方向に回転しようとして、逆転防止爪（３０）を強く押し込む。このとき、第１爪片（３１）はラチェット歯（２３）に係合固定されているため、逆転防止爪（３０）は、第１爪片（３１）の中心位置（Ｐ）を中心として、図８の時計方向に回転しようとする。これにより第２爪片（３２）の先端が、それに対応するラチェット歯（２３）の一側面部（２３ｃ）を削るように強圧状態で摺接しようとする。
【００５１】
このとき、図９に示す一般のラチェットのように、ラチェット歯（２３）における一側面部（２３ｃ）に、上記仮想円弧線（Ｒ）の外側に突出するような干渉突部（２３ｈ）が残存形成されていると、第２爪片（３２）が干渉突部（２３ｈ）に強圧で干渉接触することにより、干渉突部（２３ｈ）に多大な応力荷重が加わる。このように多大な荷重が干渉突部（２３ｈ）に繰り返し加わると、図１０に示すように、干渉突部（２３ｈ）と共にラチェット歯（２３）の先端が削り取られたり、図１１に示すように第２爪片（３２）の先端が削り取られたりする等の切り下げ現象が発生して、ラチェット歯（２３）や爪片（３２）が破損してしまう恐れがある。
【００５２】
これに対し、本実施形態においては、図８に示すように、ラチェット歯（２３）における一側面部（２３ｃ）を、上記仮想円弧線（Ｒ）に沿って円弧状に形成しているため、ラチェット（２２）を逆回転方向に回転させるような多大な荷重が加わったとしても、第２爪片（３２）がラチェット歯（２３）の一側面部（２３ｃ）に強圧に干渉接触するようなことがなく、ラチェット歯（２３）や爪（３２）が破損してしまう等の不具合を確実に防止することができる。
【００５３】
一方、本実施形態においては、図１２に示すように、回動金具（２０）を初期位置に復帰させてカム板（４０）を係合許容状態に復帰させた際に、カム板（４０）における周縁突部（４２）の凹部（４１）寄りの端部（４４）を、第２爪片（３２）の初期係合位置に対応するラチェット歯（２３）の歯溝部（２３ｂ）に配置するものである。このため、逆転防止爪（３０）の爪片（３１）（３２）を、初期係合位置に確実に係合させることができる。
【００５４】
すなわちラチェット金具は、使用を繰り返すうちに、カム板（４０）における周縁突部（４２）の周縁凹部（４１）寄りの端部（４４）、つまり周縁突部（４２）及び案内部（４３）間のコーナー部（４４）がすり減って、そのコーナー部（４４）の位置が同図想像線に示すように後退してしまう。このとき図１３に示すように、仮に回動金具（２０）を初期位置に復帰させた際にカム板（４０）のコーナー部（４４）が、第２爪片（３２）の初期係合位置に対応するラチェット歯（２３）の歯溝部（２３ｂ）に配置されず、２段目の係合位置に対応するラチェット歯（２３）に対応して配置されているような場合、上記の磨耗によりカム板（４０）のコーナー部（４４）の位置が後退すると、コーナー部（４４）が、第２爪片（３２）の２段目の係合位置に対応するラチェット歯（２３）の歯溝部（２３ｂ）に配置されてしまう。そうすると、回動金具（２０）を初期位置に復帰させた際に、第１及び第２爪片（３１）（３２）が、ラチェット歯（２３）の２段目の係合位置にそれぞれ係合してしまい、初期係合位置に係合させることができなくなってしまう。
【００５５】
これに対し、本実施形態においては、図１２に示すように、回動金具（２０）を初期位置に復帰させた際に、カム板（４０）のコーナー部（４４）を、第２爪片（３２）の初期係合位置に対応するラチェット歯（２３）の歯溝部（２３ｂ）に配置するものであるため、コーナー部（４４）が多少すり減ったとしても、コーナー部（４４）の位置は所定の歯溝部（２３ｂ）に対応して配置されるため、第２爪片（３２）を、確実に初期係合位置のラチェット歯（２３）に係合することができる。このように本実施形態においては、長期使用によっても逆転防止爪（３０）を初期係合位置に確実に係合させることができ、安定した動作を長期間維持することができ、動作信頼性を向上させることができる。
【００５６】
また本実施形態のラチェット金具においては、逆転防止爪（３０）に２つの爪片（３１）（３２）を設けて、その２つの爪片（３１）（３２）を隣合う２つのラチェット歯（２３）に係合するようにしているため、ラチェット（２２）の回転規制を確実に行うことができ、より高い品質を得ることができる。
【００５７】
更に上記したように、ラチェット歯（２３）の破損を防止しつつ、高い動作信頼性を得ることができるため、ラチェット歯（２３）のピッチを細かく設定することができ、座もたれの調整角度を７段以上に設定することができ、使用者の体格や好みに合わせて背もたれの角度を微調整することができる。
【００５８】
また本実施形態のラチェット金具においては、カム板（４０）を押操作するための第１及び第２当たり片（４５）（４６）を、カム板（４０）の外周縁部に設けているため、例えばカム板（４０）の押操作位置を内周縁部に設ける場合と比較して、カム板（４０）の回転操作時のモーメントを大きくすることができ、カム板（４０）の回転操作をスムーズに行うことができる。更にカム板（４０）の回転操作時のストロークも大きく確保することができ、カム板（４０）の微細な操作も確実に制御することができ、動作信頼性をより一層向上させることができる。
【００５９】
なお上記実施形態においては、本発明のラチェット金具を座椅子に適用した場合について説明したが、本発明はそれだけに限られず、例えば商店の軒先等に適用される揺動式庇の回動支持機構にも採用することができ、更に飛行機のファーストクラスの座席等に適用される揺動式フットレストの回転支持機構や、高級椅子の揺動式肘掛けの支持機構等にも採用することができ、更にはキッチンや書斎等に適用される回転引出式の可動収納棚の支持機構等にも採用することができる。
【００６０】
また上記実施形態においては、回動金具（２０）を固定金具（１０）に対し開いた状態から閉じる方向に順送りに係合するタイプのラチェット金具に適用しているが、本発明はそれだけに限られず、図１４に示すように、ラチェット（２２）の歯（２３）の向きを逆向きにしたり、図１５に示すように、回動金具（２０）を反転させた状態に取り付けたり、図１６に示すように、ラチェット歯（２３）を逆向きにし、かつ回動金具（２０）を反転状態に取り付けたりすることもでき、これにより、回動金具（２０）の順送り方向や順送り範囲を自在に設定することができる。
【００６１】
更に上記実施形態においては、回動金具（２０）を固定金具（１０）に対し９０度範囲内で動作するようにしたラチェット金具について説明したが、本発明はそれだけに限られず、回動金具が固定金具に対し９０度を超える範囲で動作するようなラチェット金具にも適用することができる。
【００６２】
【発明の効果】
以上のように、本第１発明のラチェット金具によれば、７段以上の回転位置で逆転防止爪の爪片をラチェット歯に安定状態に係合させることができ、更にラチェット歯における一側面部を所定の円弧状に形成しているため、ラチェットを逆回転方向に回転させるような多大な荷重が加わったとしても、爪片がラチェット歯の一側面部に強圧に干渉するようなことがなく切り下げ現象を防止できるので、ラチェット歯や爪片が破損してしまう等の不具合を確実に防止することができるという効果がある。
【００６３】
本第１発明において、回動金具を初期位置に復帰させた際に、カム板における周縁突部の端部を、第２爪片の初期係合位置に対応するラチェット歯の歯溝部内に配置する場合には、長期間の使用等により、カム板における周縁突部の端部がすり減ったとしても、各爪片を確実に初期係合位置に対応するラチェット歯に確実に係合させることができ、安定した動作を長期間維持することができ、動作信頼性を向上させることができるという利点がある。
【００６４】
また本第１発明において、カム板を押操作するための押込位置を、カム板の外周縁部に設ける場合には、カム板回転操作時のモーメントを大きくすることができ、カム板の回転操作をスムーズに行うことができる上更に、カム板回転操作時のストロークも大きく確保することができるため、カム板の微細な操作も確実に制御することができ、動作信頼性をより一層向上させることができるという利点がある。
【００６５】
更に本第１発明において、カム板に外方突出状にストッパーを形成し、そのストッパーを介在させて回動金具を逆転防止爪に当接させることにより、回動金具の固定金具に対する終端位置を超える正回転方向への回転を阻止するよう構成する場合には、回動金具が必要以上に回転してしまう等の不具合を確実に防止することができるという利点がある。
【００６６】
本第２発明は、上記第１発明のラチェット金具を回転連結部に備えた座椅子を特定するものであるため、背もたれの角度調整を７段以上に設定できて、逆転防止爪の爪片をラチェット歯に安定状態に係合させることができる上更に、多大な荷重等によるラチェット歯や爪片の破損等を確実に防止することができるという効果がある。
【図面の簡単な説明】
【図１】この発明の実施形態であるラチェット金具を開き状態で示す断面図である。
【図２】実施形態のラチェット金具を正回転開始直後の状態で示す断面図である。
【図３】実施形態のラチェット金具を２段目係合状態で示す断面図である。
【図４】実施形態のラチェット金具を最終係合状態で示す断面図である。
【図５】実施形態のラチェット金具を正回転終端状態で示す断面図である。
【図６】実施形態のラチェット金具を初期位置復帰直前の状態で示す断面図である。
【図７】実施形態のラチェット金具に適用されたカム板を示す側面図である。
【図８】図１のラチェット金具における爪係合部周辺を拡大して示す断面図である。
【図９】第１参考例としてのラチェット金具における爪係合部周辺を拡大して示す断面図である。
【図１０】第１参考例のラチェット金具における問題点を示す断面図である。
【図１１】第１参考例のラチェット金具における問題点を示す断面図である。
【図１２】図６のラチェット金具における爪係合部周辺を拡大して示す断面図である。
【図１３】第２参考例としてのラチェット金具における爪係合部周辺を拡大して示す断面図である。
【図１４】この発明の第１変形例としてのラチェット金具を示す断面図である。
【図１５】この発明の第２変形例としてのラチェット金具を示す断面図である。
【図１６】この発明の第３変形例としてのラチェット金具を示す断面図である。
【符号の説明】
１０…固定金具
１２…ハウジング
２０…回動金具
２２…ラチェット
２３…ラチェット歯
２３ｂ…歯溝部
２３ｃ…一側面部
３０…逆転防止爪
３１…第１爪片
３２…第２爪片
４０…カム
４１…周縁凹部
４２…周縁突部
４４…コーナー部（周縁突部の周縁凹部寄り端部）
４７…ストッパー
Ｐ…第１爪片中心位置
Ｑ…接触部端点
Ｒ…仮想円弧線
【図１】
2004092876.tif 000003
【図２】
2004092876.tif 000004
【図３】
2004092876.tif 000005
【図４】
2004092876.tif 000006
【図５】
2004092876.tif 000007
【図６】
2004092876.tif 000008
【図７】
2004092876.tif 000009
【図８】
2004092876.tif 000010
【図９】
2004092876.tif 000011
【図１０】
2004092876.tif 000012
【図１１】
2004092876.tif 000013
【図１２】
2004092876.tif 000014
【図１３】
2004092876.tif 000015
【図１４】
2004092876.tif 000016
【図１５】
2004092876.tif 000017
【図１６】
2004092876.tif 000018